(57)【要約】【課題】回り止め部材を石膏ボードに打ち込む際、石膏ボードを壊してしまう可能性を著しく低減させることができると共に、クロスが貼り付けられた石膏ボードに回り止め部材を打ち込む際、事前にクロスに切り込みを入れる必要もなくなり、埋設時の作業性にも優れるものとする。【解決手段】石膏ボード用アンカー１は、内周に雌ネジ部４ｂを有し、石膏ボード３の穿設孔３ａに挿入されるアンカー本体４と、該アンカー本体４に一体的に設けられ、アンカー本体４を石膏ボード３の穿設孔３ａに挿入する際、石膏ボード３に打ち込まれてアンカー本体４を回り止めする回り止め部材５とを備え、回り止め部材５は、打ち込み方向先端部に先鋭状に刃先加工された刃先部５ａを有し、石膏ボード３に打ち込まれる際、自らがクロス８を切断して石膏ボード３に鋭利に刺さる。【選択図】図１
2010024662.tif 000002
【特許請求の範囲】
【請求項１】
石膏ボードに埋設される石膏ボード用アンカーであって、
内周に雌ネジ部を有し、石膏ボードの穿設孔に挿入されるアンカー本体と、
該アンカー本体に一体的に設けられ、アンカー本体を石膏ボードの穿設孔に挿入する際、石膏ボードに打ち込まれてアンカー本体を回り止めする回り止め部材とを備え、
該回り止め部材は、打ち込み方向先端部に先鋭状に刃先加工された刃先部を有する
ことを特徴とする石膏ボード用アンカー。
【請求項２】
前記回り止め部材は、半円形状又は二等辺三角形状の金属プレートからなり、その頂部が打ち込み方向を向くようにアンカー本体の外周に溶着されることを特徴とする請求項１記載の石膏ボード用アンカー。
【請求項３】
前記石膏ボードの穿設孔に樹脂受網を挿入すると共に、該樹脂受網に樹脂アンカーを注入し、該樹脂アンカー中にアンカー本体を挿入するにあたり、樹脂受網には、回り止め部材の刃先部との接触を避けるための切欠き部が形成されることを特徴とする請求項１又は２記載の石膏ボード用アンカー。
【発明の詳細な説明】
【技術分野】
【０００１】
本発明は、石膏ボードに埋設される石膏ボード用アンカーに関する。
【背景技術】
【０００２】
近年、建築物の内壁は、下地材として石膏ボードを貼り付け、その表面にクロスなどの仕上げ材を貼り付けた構造が多用されている。このような内壁にタオル掛け用のフック、カーテンレール、薄型ＴＶの吊持金具などを取り付ける場合には、石膏ボードに石膏ボード用アンカーを埋設し、該石膏ボード用アンカーに対して取り付け用のネジをねじ込む必要がある。その理由は、石膏ボードが強度的に脆いため、取り付け用のネジを直接ねじ込んでも、十分な固定強度を得ることができないからである。
【０００３】
石膏ボード用アンカーとしては、アンカー本体を石膏ボードの取付け孔に対して、樹脂接着剤を含浸させて硬化させた後に、直にねじ込むタイプ（例えば、特許文献１参照）や、石膏ボードの穿設孔に樹脂アンカーを注入すると共に、該樹脂アンカー中にアンカー本体を挿入し、樹脂アンカーの硬化によって必要な固定強度を得るタイプが知られている。後者は、樹脂アンカーを併用するため、前者に比べて強度的に有利であるが、取り付け用ネジのねじ込みに際し、共回りの惧れがあるので、回り止め手段が必要である。
【０００４】
一方、上記の回り止め手段としては、ＡＬＣの外壁に先端側部分を突出させて埋設される長尺な埋込ボルトの埋設部分に取り付けられて、埋込ボルトを回り止めするための回り止め部材が知られている。このものは、ＡＬＣの外壁専用に平板状の金属プレートで形成されており、その工法もＡＬＣに埋設孔を開けて樹脂アンカーを注入し、埋込ボルトの埋設部分を挿入し、回り止め部材部分を打ち込みして、埋設部分とＡＬＣとを直接凝固結合させても、回り止め機能と抜け止め機能を同時に満たすことができる。
しかしながら、石膏ボードは、ＡＬＣに比べ非常に脆いため、これをそのまま内壁用の石膏ボードに採用しても、打ち込む際に石膏ボードを壊してしまう惧れがあり、また抜け止め機能も充分に得ることができないという問題がある。また、クロスが貼り付けられた石膏ボードに回り止め部材を打ち込む際には、事前にクロスに切り込みを入れておく必要があるので、埋設時の作業性に劣るという問題もあった。
【特許文献１】特開２００４−３０８８４３号公報
【発明の開示】
【発明が解決しようとする課題】
【０００５】
本発明は、上記の如き問題点を一掃すべく創案されたものであって、フック等を取付けする雌ねじが形成されたアンカー本体を樹脂アンカーを用いて壁面に取り付けるようにしたものでありながら、従来屋外のＡＬＣ壁専用の埋設ボルトに備えられていた回り止め部材を応用して、室内の石膏ボード用アンカー本体に利用することが可能となり、石膏ボードの穿設孔にアンカー本体を挿入して、回り止め部材を石膏ボードに打ち込む際、石膏ボードを壊してしまう可能性を著しく低減させることができると共に、クロスが貼り付けられた石膏ボードに回り止め部材を打ち込む際にも、事前にクロスに切り込みを入れる必要もなくなり、確実に回り止め機能を保持することができ、埋設時の作業性にも優れる石膏ボード用アンカーの提供を目的とする。
【課題を解決するための手段】
【０００６】
上記課題を解決するために本発明の石膏ボード用アンカーは、石膏ボードに埋設される石膏ボード用アンカーであって、内周に雌ネジ部を有し、石膏ボードの穿設孔に挿入されるアンカー本体と、該アンカー本体に一体的に設けられ、アンカー本体を石膏ボードの穿設孔に挿入する際、石膏ボードに打ち込まれてアンカー本体を回り止めする回り止め部材とを備え、該回り止め部材は、打ち込み方向先端部に先鋭状に刃先加工された刃先部を有することを特徴とするものである。
【発明の効果】
【０００７】
本発明は、上記のように構成したことにより、フック等を取付けする雌ねじが形成されたアンカー本体を樹脂アンカーを用いて壁面に取り付けるようにしたものでありながら、従来屋外のＡＬＣ壁専用の埋設ボルトに備えられていた回り止め部材を応用して、室内の石膏ボード用アンカー本体に利用することが可能となり、石膏ボードの穿設孔にアンカー本体を挿入して、回り止め部材を石膏ボードに打ち込む際、石膏ボードを壊してしまう可能性を著しく低減させることができると共に、クロスが貼り付けられた石膏ボードに回り止め部材を打ち込む際にも、事前にクロスに切り込みを入れる必要もなくなり、確実に回り止め機能を保持することができ、埋設時の作業性にも優れるものとできる。しかも、埋設完了後に雌ネジ部に取り付けられたフックに重量物が吊持されても、その荷重はアンカー本体とその全長域周縁に注入された樹脂アンカーにより受け止めて、石膏ボードに直接的に負荷が加わることがなく、従来のものに比しより強固な抜け止め機能を得ることができる。
【発明を実施するための最良の形態】
【０００８】
以下、本発明の実施の形態を好適な実施の形態として例示する石膏ボード用アンカーを図面に基づいて詳細に説明する。図１は埋設状態を示す石膏ボード用アンカーの使用説明図、図２は石膏ボード用アンカーの正面図、図３は石膏ボード用アンカーの側面図、図４はアンカー本体の平面図、図５は回り止め部材の側面図、図６は樹脂受網の平面図である。
【０００９】
これらの図に示すように、本発明の実施形態に係る石膏ボード用アンカー１は、フック２などを取り付けるために、石膏ボード３に埋設されるものであって、アンカー本体４、回り止め部材５、樹脂受網６、樹脂アンカー７などを備えて構成されている。
【００１０】
なお、石膏ボード３は、建築物における内壁の下地材として用いられており、その表面には、クロス８などの仕上げ材が貼り付けられている。そして、このような内壁にタオル掛け用や、薄型ＴＶの吊持用のフック２などを取り付ける場合、石膏ボード３に石膏ボード用アンカー１を埋設し、該石膏ボード用アンカー１にフック２の取り付け用ネジ９がねじ込まれる。
【００１１】
アンカー本体４は、石膏ボード３の穿設孔３ａに挿入されるものであって、外周に凹凸部４ａを有し、内周に雌ネジ部４ｂを有する。外周の凹凸部４ａは、樹脂アンカー７との接着性を高めるためのもので、本実施形態では雄ネジ（ボルト）溝状に形成されるが、ローレット加工などであってもよい。また、内周の雌ネジ部４ｂは、取り付け用ネジ９をねじ込むためのネジ穴である。
【００１２】
回り止め部材５は、アンカー本体４に一体的に設けられ、アンカー本体４を石膏ボード３の穿設孔３ａに挿入する際、石膏ボード３に打ち込まれてアンカー本体４を回り止めするものである。そして、本発明に係る石膏ボード用アンカー１の回り止め部材５は、打ち込み方向先端部に先鋭状に刃先加工された刃先部５ａを有する。回り止め部材５の形状や材質に制限はないが、半円形状又は二等辺三角形状の金属プレートとすることが好ましい。この場合には、その頂部が打ち込み方向を向くようにアンカー本体４の外周に溶着される。
【００１３】
樹脂受網６は、注入された樹脂アンカー７を保持するための袋状の網部材であって、石膏ボード３の穿設孔３ａに挿入される。基端部には、フランジ部６ａが形成され、該フランジ部６ａが穿設孔３ａの周縁部に当接することにより、それ以上の挿入が規制される。そして、石膏ボード３の穿設孔３ａに樹脂受網６を挿入したら、樹脂受網６に樹脂アンカー７を注入すると共に、該樹脂アンカー７中にアンカー本体４を挿入し、さらに、回り止め部材５を石膏ボード３に打ち込んだ後、樹脂アンカー７を硬化させるが、本実施形態の樹脂受網６には、回り止め部材５の刃先部５ａとの接触を避けるための切欠き部６ｂが形成されており、回り止め部材５を叩き込んだ際に変形を回避して、アンカー本体４を含め注入された樹脂アンカー７をしっかりと保持することができる。また、樹脂アンカーとしてウレタンメタル接着系樹脂剤を用いている。
【００１４】
次に、石膏ボード用アンカー１の埋設手順について、図７を参照して説明する。
【００１５】
図７は石膏ボード用アンカーの埋設手順を示す説明図である。この図に示すように、石膏ボード３に石膏ボード用アンカー１を埋設する場合は、まず、石膏ボード３に穿設孔３ａを開ける。次に、穿設孔３ａに樹脂受網６を挿入し、樹脂受網６内に樹脂アンカー７を注入する。このとき、樹脂アンカー７は、樹脂受網６の編み目周縁から石膏ボード３の裏面に充分にはみ出すまで注入する。次に、樹脂アンカー７中にアンカー本体４を挿入すると共に、回り止め部材５を石膏ボード３に打ち込む。このとき、回り止め部材５の刃先部５ａは、自らがクロス８を切断して石膏ボード３に鋭利に刺さる。その後、樹脂アンカー７の硬化を待ち、凝固した後にフック２の取り付けを行う。因みに、フック２の取り付けは、フック２及びワッシャ１０を貫通させた取り付け用ネジ９をアンカー本体４の雌ネジ部４ｂにねじ込むことにより行われる。
【００１６】
叙述の如く構成された本発明の実施の形態において、石膏ボード用アンカー１は、内周に雌ネジ部４ｂを有し、石膏ボード３の穿設孔３ａに挿入されるアンカー本体４と、該アンカー本体４に一体的に設けられ、アンカー本体４を石膏ボード３の穿設孔３ａに挿入する際、石膏ボード３に打ち込まれてアンカー本体４を回り止めする回り止め部材５とを備えるものであるが、回り止め部材５は、打ち込み方向先端部に先鋭状に刃先加工された刃先部５ａを有し、石膏ボード３に打ち込まれる際には、自らがクロス８を切断して石膏ボード３に鋭利に刺さる。従って、回り止め部材５を石膏ボード３に打ち込む際、石膏ボード３を壊してしまう可能性を著しく低減させることができると共に、クロス８が貼り付けられた石膏ボード３に回り止め部材５を打ち込む際、事前にクロス８に切り込みを入れる必要もなくなり、確実に回り止め機能を保持することができ、埋設時の作業性にも優れるものとできる。しかも、アンカー本体４の外周の凹凸部４ａは、従来の如く石膏ボード３の穿設孔３ａに直に螺合させ、ボードの厚さ幅内で荷重を受け止めるものでないため、雌ネジ部４ｂに取り付けられたフック２に薄型ＴＶなどの重量物が吊持されても、その荷重はアンカー本体４とその全長域に注入された樹脂アンカー７により受け止めて、石膏ボード３に直接的に負荷が加わることがなく、従来のものに比しより強固な抜け止め機能を得ることができる。
【００１７】
また、本実施形態の回り止め部材５は、半円形状（又は二等辺三角形状）の金属プレートからなり、その頂部が打ち込み方向を向くようにアンカー本体４の外周に溶着されるので、石膏ボード３に対する打ち込み抵抗をより低減することができると共に、雌ネジ部４ｂを塞いでしまうなど邪魔になることはない。
【００１８】
また、石膏ボード３の穿設孔３ａに樹脂受網６を挿入すると共に、該樹脂受網６に樹脂アンカー７を注入し、該樹脂アンカー７中にアンカー本体４を挿入するにあたり、樹脂受網６には、回り止め部材５の刃先部５ａとの接触を避けるための切欠き部６ｂが形成されるので、回り止め部材５を叩き込んだ際に、樹脂受網６が回り止め部材５の刃先部５ａとの接触で破損したり変形したりするなどの不都合を回避して、注入された樹脂アンカー７を石膏ボード３の背面側に周辺に行き渡らせた状態で、アンカー本体４をしっかりと保持することができできる。その結果、アンカー本体４と樹脂受網６と樹脂アンカー７とが三位一体となった構成によって、アンカー本体４に加わる負荷が直接穿設孔３ａに加わることが回避され、石膏ボード３に対する抜け止め機能をより強固なものとすることができ、重量物であっても取付けすることができる。
【図面の簡単な説明】
【００１９】
【図１】埋設状態を示す石膏ボード用アンカーの使用説明図である。
【図２】石膏ボード用アンカーの正面図である。
【図３】石膏ボード用アンカーの側面図である。
【図４】石膏ボード用アンカーの平面図である。
【図５】アンカー本体のＡ−Ａ切断端面図である。
【図６】樹脂受網の平面図である。
【図７】石膏ボード用アンカーの埋設手順を示す説明図である。
【符号の説明】
【００２０】
１  石膏ボード用アンカー
２  フック
３  石膏ボード
３ａ  穿設孔
４  アンカー本体
４ａ  凹凸部
４ｂ  雌ネジ部
５  回り止め部材
５ａ  刃先部
６  樹脂受網
６ａ  フランジ部
６ｂ  切欠き部
７  樹脂アンカー
８  クロス
９  取り付け用ネジ
１０  ワッシャ
【図１】
2010024662.tif 000003
【図２】
2010024662.tif 000004
【図３】
2010024662.tif 000005
【図４】
2010024662.tif 000006
【図５】
2010024662.tif 000007
【図６】
2010024662.tif 000008
【図７】
2010024662.tif 000009